(57)【要約】  無線送受信ユニット（ＷＴＲＵ）における性能強化を無線通信システム内のユーザに示す方法は、性能強化を有効にした状態でＷＴＲＵへの無線リンクを作動させること（１０２）によって開始する。性能強化を有効にした状態での作動結果が測定される（１０４）。性能強化を無効にした状態でＷＴＲＵへの無線リンクを作動させ（１０６）、性能強化を無効にした状態での作動結果が測定される（１０８）。性能強化を有効にした状態と性能強化を無効にした状態での測定が比較され（１１０）、性能強化が有効な場合と無効な場合とでのＷＴＲＵの性能の違いを示すＷＴＲＵ上の表示指標が作成され、表示される（２０６）。
2007507163.tif 000002
【特許請求の範囲】
【請求項１】
無線送受信ユニット（ＷＴＲＵ）における性能強化を無線通信システム内のユーザに示す方法であって、
（ａ）性能強化を有効にした状態で前記ＷＴＲＵへの無線リンクを作動させるステップと、
（ｂ）前記性能強化を有効にした状態での作動結果を測定するステップと、
（ｃ）前記性能強化を無効にした状態で前記ＷＴＲＵへの無線リンクを作動させるステップと、
（ｄ）前記性能強化を無効にした状態での作動結果を測定するステップと、
（ｅ）前記性能強化を有効にした状態と前記性能強化を無効にした状態での測定を比較するステップと、
（ｆ）前記性能強化が有効な場合と無効な場合とでの前記ＷＴＲＵの性能の違いを示す表示指標を作成して前記ＷＴＲＵ上に表示するステップと
を備えることを特徴とする方法。
【請求項２】
ステップ（ａ）および（ｂ）は、ステップ（ｃ）および（ｄ）の前に実行されることを特徴とする請求項１に記載の方法。
【請求項３】
ステップ（ｃ）および（ｄ）は、ステップ（ａ）および（ｂ）の前に実行されることを特徴とする請求項１に記載の方法。
【請求項４】
無線送受信ユニット（ＷＴＲＵ）における性能強化を無線通信システム内のユーザに示す方法であって、
性能強化を有効にした状態での前記ＷＴＲＵにおける受信信号特性を測定するステップと、
前記性能強化を有効にした場合と有効にしていない場合とでの前記ＷＴＲＵにおける性能の違いに基づいて利得値を計算するステップと、
前記利得値に基づいて表示指標を作成して前記ＷＴＲＵ上に表示するステップと
を備えることを特徴とする方法。
【請求項５】
無線送受信ユニット（ＷＴＲＵ）における性能強化を無線通信システム内のユーザに示す方法であって、
前記ＷＴＲＵにおいて性能強化を有効にするステップと、
前記性能強化を有効にした状態での作動結果を測定するステップと、
前記性能強化を有効にした状態での性能値を示す表示指標を作成して前記ＷＴＲＵ上に表示するステップと、
前記性能強化をオフにするステップと、
前記性能強化を無効にした状態での作動結果を測定するステップと、
前記性能強化を無効にした状態での性能値を示す表示指標を作成して前記ＷＴＲＵ上に表示するステップと
を備えることを特徴とする方法。
【請求項６】
無線送受信ユニット（ＷＴＲＵ）における性能強化を無線通信システム内のユーザに示す方法であって、
前記ＷＴＲＵにおいて性能強化を無効にするステップと、
前記性能強化を無効にした状態での作動結果を測定するステップと、
前記性能強化を無効にした状態での性能値を示す表示指標を作成して前記ＷＴＲＵ上に表示するステップと、
前記性能強化をオンにするステップと、
前記性能強化を有効にした状態での作動結果を測定するステップと、
前記性能強化を有効にした状態での性能値を示す表示指標を作成して前記ＷＴＲＵ上に表示するステップと
を備えることを特徴とする方法。
【請求項７】
無線送受信ユニット（ＷＴＲＵ）と基地局（ＢＳ）とを含む無線通信システム内のユーザに性能強化を示す方法であって、
前記ＷＴＲＵにおいて機能強化を有効にするステップと、
前記ＢＳから前記ＷＴＲＵへ信号を送信するステップと、
前記ＢＳにおいて作動結果を測定するステップと、
前記ＷＴＲＵにおいて前記機能強化を無効にするステップと、
前記ＢＳから前記ＷＴＲＵへ信号を送信するステップと、
前記ＢＳにおいて作動結果を測定するステップと、
前記ＢＳにおいて測定結果を比較するステップと、
前記ＷＴＲＵを介して比較結果を前記ユーザに表示するステップと
を備えることを特徴とする方法。
【請求項８】
無線送受信ユニット（ＷＴＲＵ）と基地局（ＢＳ）とを含む無線通信システム内のユーザに性能強化を示す方法であって、
前記ＢＳから前記ＷＴＲＵへ信号を送信するステップと、
前記ＷＴＲＵにおいて機能強化を無効にした状態で前記ＢＳにおいて作動結果を測定するステップと、
前記ＷＴＲＵにおいて前記機能強化を有効にするステップと、
前記ＢＳから前記ＷＴＲＵへ信号を送信するステップと、
前記ＢＳにおいて作動結果を測定するステップと、
前記ＢＳにおいて測定結果を比較するステップと、
前記ＷＴＲＵを介して比較結果を前記ユーザに表示するステップと
を備えることを特徴とする方法。
【請求項９】
無線通信システムにおいて使用するための端末であって、
前記端末において性能強化を有効にしたり無効にしたりするための有効化手段と、
前記性能強化を有効にした状態と前記性能強化を無効にした状態での前記端末の作動結果を測定するための測定手段と、
指標を前記端末上に表示するための表示手段であって、前記指標は、前記性能強化を有効にした状態と前記性能強化を無効にした状態での前記端末の作動結果を示す表示手段と
を備えたことを特徴とする端末。
【請求項１０】
前記性能強化を有効にした状態と前記性能強化を無効にした状態での前記端末の測定された作動結果を比較するための比較手段をさらに備え、
前記指標は、比較結果を示すことを特徴とする請求項９に記載の端末。
【請求項１１】
前記指標は、前記性能強化を有効にした状態と前記性能強化を無効にした状態での作動結果を区別するために異なるラベルで表示されている要素を含むことを特徴とする請求項９に記載の端末。
【請求項１２】
前記指標の前記要素は、異なる色でラベル表示されていることを特徴とする請求項１１に記載の端末。
【請求項１３】
前記指標の前記要素は、異なるタイプスタイルでラベル表示されていることを特徴とする請求項１１に記載の端末。
【請求項１４】
前記指標の前記要素は、異なるフォントでラベル表示されていることを特徴とする請求項１１に記載の端末。
【請求項１５】
前記指標の前記要素は、マーカによって区切られていることを特徴とする請求項１１に記載の端末。
【請求項１６】
前記測定手段は、前記性能強化を無効にした状態での前記端末の作動結果を測定するのみであることを特徴とする請求項９に記載の端末。
【請求項１７】
前記性能強化を無効にした状態での前記端末の前記測定された作動結果に基づいて前記端末の前記作動結果を外挿するための外挿手段をさらに備えることを特徴とする請求項１６に記載の端末。
【請求項１８】
端末と基地局とを含む無線通信システムであって、
前記端末は、
前記端末において性能強化を有効にしたり無効にしたりするための有効化手段と、
指標を前記端末上に表示するための表示手段であって、前記指標は、前記性能強化を有効にした状態と前記性能強化を無効にした状態での前記端末の作動結果を示す表示手段とを含み、
前記基地局は、
前記性能強化を有効にした状態と前記性能強化を無効にした状態での前記端末の作動結果を測定するための測定手段を含むことを特徴とする無線通信システム。
【請求項１９】
前記基地局は、
前記性能強化を有効にした状態と前記性能強化を無効にした状態での前記端末の測定された作動結果を比較するための比較手段をさらに含み、
前記指標は、比較結果を示すことを特徴とする請求項１８に記載の無線通信システム。
【請求項２０】
前記基地局は、前記性能強化を無効にした状態での前記端末の前記測定された作動結果に基づいて前記端末の前記作動結果を外挿するための外挿手段をさらに含むことを特徴とする請求項１８に記載の無線通信システム。
【請求項２１】
前記外挿手段は、前記性能強化を伴わない前記端末の前記測定された作動結果に基づいて前記外挿を行うことを特徴とする請求項２０に記載の無線通信システム。
【請求項２２】
前記指標は、前記性能強化を有効にした状態と前記性能強化を無効にした状態での作動結果を区別するために異なるラベルで表示されている要素を含むことを特徴とする請求項１８に記載の無線通信システム。
【請求項２３】
前記指標の前記要素は、異なる色でラベル表示されていることを特徴とする請求項２２に記載の無線通信システム。
【請求項２４】
前記指標の前記要素は、異なるタイプスタイルでラベル表示されていることを特徴とする請求項２２に記載の無線通信システム。
【請求項２５】
前記指標の前記要素は、異なるフォントでラベル表示されていることを特徴とする請求項２２に記載の無線通信システム。
【請求項２６】
前記指標の前記要素は、マーカによって区切られていることを特徴とする請求項２２に記載の無線通信システム。
【請求項２７】
端末と基地局とを含む無線通信システムであって、
前記端末は、
指標を前記端末上に表示するための表示手段を含み、
前記基地局は、
前記端末が性能強化を使用できると仮定した場合の前記端末の作動結果を外挿するための外挿手段を含み、
前記指標は、前記性能強化を伴う前記端末の外挿された作動結果と、前記性能強化を伴わない前記端末の作動結果とを示すことを特徴とする無線通信システム。
【請求項２８】
前記指標は、前記性能強化を有効にした状態と前記性能強化を無効にした状態での作動結果を区別するために異なるラベルで表示されている要素を含むことを特徴とする請求項２７に記載の無線通信システム。
【請求項２９】
前記指標の前記要素は、異なる色でラベル表示されていることを特徴とする請求項２８に記載の無線通信システム。
【請求項３０】
前記指標の前記要素は、異なるタイプスタイルでラベル表示されていることを特徴とする請求項２８に記載の無線通信システム。
【請求項３１】
前記指標の前記要素は、異なるフォントでラベル表示されていることを特徴とする請求項２８に記載の無線通信システム。
【請求項３２】
前記指標の前記要素は、マーカによって区切られていることを特徴とする請求項２８に記載の無線通信システム。
【発明の詳細な説明】
【技術分野】
【０００１】
本発明は、無線通信システムに関し、より具体的には、無線改善技術に対するユーザの認識を改善することに関する。
【背景技術】
【０００２】
無線通信業界は、受信可能範囲およびシステムキャパシティという一般的な領域、ならびにそれに関連したネットワークおよびデバイスのその他の特性を改善するための多くの手段を研究している。現在、サービスプロバイダは、モニタリングポイントおよびプログラムによって機能強化の利点を点検することができる。しかしユーザは、機能強化技術の利点に関する具体的な指示をまったく受け取らない。したがって開発の１つの領域は、たとえば無線送受信ユニット（ＷＴＲＵ）を含む。これは、ユーザ端末（user equipment）、移動局、固定式または携帯式の加入者用ユニット、ページャ、あるいは無線環境内で動作できるその他の任意のタイプのデバイスを含むことができるが、これらには限定されない。
【０００３】
ＷＴＲＵの性能を向上させるための何らかの技術を追加するには、ユーザが心の中で納得する必要がある。さもなければ、ユーザは、特定の機能強化技術に関連するコストを負担することに前向きになれないかもしれない。たとえばアンテナアレイの技術は、複数の形態で出回っており、多くの機能強化を提供する。データのダウンロード時間が数十秒単位ではなく数秒単位ですむなど、オペレーションにおける飛躍的な利得が、時としてユーザにとって明らかである場合もある。しかし一般には、それまで利用できなかったエリアがカバーされることや、たとえば２０パーセントといった、データ転送速度の中程度の上昇など、利得はよりわずかである場合が多い。
【０００４】
別の重要な問題は、データソースの結果であって無線周波数（ＲＦ）リンクの結果ではない遅延に関するユーザの誤解である。このような誤解は、ＷＴＲＵが期待に沿っていないという疑いで悪評を被ったり、あるいは返品されたりした場合、ユーザとサービスプロバイダの双方にとって不利益となることがある。
【発明の開示】
【発明が解決しようとする課題】
【０００５】
したがって特別な機能強化技術を有するＷＴＲＵは、そのような技術を有さないＷＴＲＵよりも優れた性能を提供することが、ユーザにとって望ましい。
【課題を解決するための手段】
【０００６】
無線送受信ユニット（ＷＴＲＵ）における性能強化を無線通信システム内のユーザに示す方法は、性能強化を有効にした状態でＷＴＲＵへの無線リンクを作動させることによって開始する。次いで、性能強化を有効にした状態での作動結果が測定される。そして、性能強化を無効にした状態でＷＴＲＵへの無線リンクを作動させ、性能強化を無効にした状態での作動結果が測定される。性能強化を有効にした状態と性能強化を無効にした状態での測定結果が比較され、性能強化が有効な場合と無効な場合とでのＷＴＲＵの性能の違いを示すＷＴＲＵ上の表示指標が作成され、表示される。
【０００７】
本発明の別の実施形態によれば、無線送受信ユニット（ＷＴＲＵ）における性能強化を無線通信システム内のユーザに示す方法は、性能強化を有効にした状態でＷＴＲＵにおける受信信号の特性を測定することによって開始する。性能強化を有効にした場合と有効にしていない場合とでのＷＴＲＵにおける性能の違いに基づいて利得値が計算され、その利得値に基づいて表示指標が作成され、ＷＴＲＵ上に表示される。
【０００８】
本発明の第３の実施形態によれば、無線送受信ユニット（ＷＴＲＵ）における性能強化を無線通信システム内のユーザに示す方法は、ＷＴＲＵにおいて性能強化を有効にすることによって開始する。性能強化を有効にした状態での作動結果が測定され、性能強化を有効にした状態での性能値を示す表示指標が作成され、ＷＴＲＵ上に表示される。次いで性能強化をオフにし、性能強化を無効にした状態での作動結果が測定される。性能強化を無効にした状態での性能値を示す表示指標が作成され、ＷＴＲＵ上に表示される。
【０００９】
本発明の第４の実施形態によれば、無線送受信ユニット（ＷＴＲＵ）における性能強化を無線通信システム内のユーザに示す方法は、ＷＴＲＵにおいて性能強化を無効にすることによって開始する。次いで、性能強化を無効にした状態での作動結果が測定され、性能強化を無効にした状態での性能値を示す表示指標が作成され、ＷＴＲＵ上に表示される。そして性能強化をオンにし、性能強化を有効にした状態での作動結果が測定される。性能強化を有効にした状態での性能値を示す表示指標が作成され、ＷＴＲＵ上に表示される。
【００１０】
本発明に従って構成された無線通信システムにおいて使用するための端末（handset）は、その端末において性能強化を有効にしたり無効にしたりするための有効化手段と、性能強化を有効にした状態と性能強化を無効にした状態でのその端末の作動結果を測定するための測定手段と、指標をその端末上に表示するための表示手段とを含み、その指標は、性能強化を有効にした状態と性能強化を無効にした状態でのその端末の作動結果を示す。
【００１１】
本発明に従って構成された無線通信システムは、端末と基地局とを含む。この端末は、この端末において性能強化を有効にしたり無効にしたりするための有効化手段と、指標をこの端末上に表示するための表示手段とを含む。この指標は、性能強化を有効にした状態と性能強化を無効にした状態でのこの端末の作動結果を示す。基地局は、性能強化を有効にした状態と性能強化を無効にした状態での端末の作動結果を測定するための測定手段を含む。
【００１２】
本発明に従って構成された無線通信システムの別の実施形態は、端末と基地局とを含む。この端末は、指標をこの端末上に表示するための表示手段を含む。基地局は、この端末が性能強化を使用できると仮定した場合のこの端末の作動結果を外挿するための外挿手段を含む。指標は、性能強化を伴うこの端末の外挿された作動結果と、性能強化を伴わないこの端末の作動結果とを示す。
【発明を実施するための最良の形態】
【００１３】
例として提供する以降の好ましい実施形態の説明から、本発明をさらに詳しく理解することができ、それらの好ましい実施形態は、添付の図面を参照しながら理解されたい。
【００１４】
無線送受信ユニット（ＷＴＲＵ）の性能を向上させるための手段は数多い。たとえば手短に列挙しても、ダイバーシティ、ビームフォーミング、多重空間階層化（multi-spatial layering）、およびコーディングが含まれる。一般に本発明は、ＷＴＲＵが何らかの機能強化技術を使用することから得ている利得に関する表示をユーザに提供する。
【００１５】
本発明は、機能強化技術のうちの１つまたは複数を有効にしたり無効にしたりすることができ、各動作モードにおいて関連する性能係数（performance factor）を測定して記録することができる。あるいは本発明は、機能強化技術を有効なままにして堅固なオペレーションの実行を維持し、ユーザに提示されている性能指標に関して達成されている利得を内挿することもできる。
【００１６】
実行されているアプリケーションの性格およびユーザの専門知識によって、どの性能指標を表示すべきかが決定される。指標は、ＷＴＲＵの場合、たとえば信号強度に固定することができる。モデムの場合、ほとんどの人にとってビットレートが適しているであろう。さらに専門知識のあるユーザは、ビット誤り率やブロック誤り率の方が有用と思うかもしれない。非常に専門知識のあるユーザは、信号対ノイズ比や利用されているパスなど、その他の性能指数（figure of merit）を表示したいかもしれない。
【００１７】
指標を計算する方法は複数存在する。最も正確な方法は、機能強化を伴う状態と伴わない状態の双方で所定の時間にわたってリンクを作動させて、実際の結果に比例する指標を得ることである。この方法１００が、図１に示されている。機能強化を有効にした状態で無線リンクを作動させ（ステップ１０２）、その無線リンクを測定して、機能強化を有効にした状態での結果を得る（ステップ１０４）。比較を行うために、機能強化を伴わない状態においてもこの無線リンクを作動させ（ステップ１０６）、この無線リンクを測定して、機能強化を無効にした状態での結果を得る（ステップ１０８）。ステップ１０２、１０４と１０６、１０８のどちらのペアを先に実行してもよい。これらのペアの順序は、重要ではない。機能強化を有効にした状態と無効にした状態の双方での結果が無線リンクから得られると、それぞれの結果が比較され（ステップ１１０）、表示指標が作成され、表示される（ステップ１１２）。
【００１８】
しかし測定１０４、１０８を実行するのに、ユーザの求めているリンクのオペレーションと比較して多大な時間が必要とされる場合、方法１００は不利な手法となる。ほとんどの場合、方法１００は、十分に活用されないＲＦリソースをシステムおよびユニットが見つけたときに、またはユーザが測定を強行したときに使用されるだけであろう。
【００１９】
機能強化を伴う状態と伴わない状態での測定の計算順序は、重要ではない。むしろ、類似のまたは同じデータストリームを用いて測定が実行されるかどうか、そしてＲＦおよびデバイスの条件（たとえば、受信器と送信器の向き）が各テスト中に同じであるかどうかが問題である。別のオプションもあり、このオプションでは、ほとんど常に機能強化を伴って実行し、信号の受信特性に大きな変化があった場合にのみ、または定期的に、機能強化のベンチマークを伴わずに実行する。
【００２０】
より一般的に使用される方法２００が図２に示されており、この方法では、ＷＴＲＵおよび／またはネットワークが（どちらが送信側でどちらが受信側かに応じて）、機能強化技術を有効にした状態で信号の受信特性を測定し（ステップ２０２）、これらの測定結果から機能強化による利得を内挿する（ステップ２０４）。そして表示指標が計算され、表示される（ステップ２０６）。
【００２１】
内挿される利得は、簡単な公式と保存されている係数とに基づく推定値とすることができる。端末は、ＲＦデータパスのいくつかの基本的な特性を測定するか、および／または別法として、対話しているインフラストラクチャやその他のデバイスによってこれらの測定結果を渡される。そしてこの情報を使用して、その公式に適用できる最も近い係数を選択する。あるいは、この測定された情報は、予想される関連付けられた利得と共にテーブルに保存されている同等の指標と比較することができる。そして、その利得に関して保存されている対応する最も近い数値が選択される。あるいは２つの測定されたテーブル指標の間で数学的内挿を使用することもできる。ＲＦデータパスの特性が、保存されている値の範囲外である場合、数学的外挿が計算される。
【００２２】
テーブルに投入されるデータは、他のシステムのテストによって、シミュレーションによって、または双方のソースの組合せによって決定することができる。テーブルに投入するための別の手段は、ネットワークの利用率が低い時間に測定を実行することである。これらの測定は、リソースが利用可能であるとネットワークがみなしたときにそのネットワークによって、または利用率が低いとわかっている時間に基づいて開始することができる。後者の状況は、必要に応じてデバイスまたはインフラストラクチャが任意に決定することができる。変形形態では、はじめに外部の測定を介してテーブルに投入し、そしてリアルタイムの測定が利用可能になった時点で、そのリアルタイムの測定によって結果を修正する。
【００２３】
オンとオフの両方の状況を共に表示するのではなく、機能強化技術を伴う動作状況と機能強化技術を伴わない動作状況とを切り替えるためのメカニズムを提供することができる。この切替え手段は、状況と状況の間で切り替えを行うか、あるいは指定された時刻に１つの表示から別の表示へと自動的に切り替わるようにすることができる。この表示は、機能強化技術がディスプレイ内に示されているかどうかに関する表示を伴うことができる。
【００２４】
上述の切替えプロセスを示すフローチャートが、図３ａおよび３ｂに示されている。図３ａと３ｂは、それぞれ機能強化をオンにした状態とオフにした状態で始まる異なる測定順序を示している点に留意されたい。図３ａを参照すると、方法３００は、機能強化をオンにすることによって開始する（ステップ３０２）。機能強化を有効にした状態での結果が測定され（ステップ３０４）、表示指標が作成され、ＷＴＲＵ上に表示される（ステップ３０６）。次いで機能強化がオフにされ（ステップ３０８）、機能強化を無効にした状態での結果が測定され（ステップ３１０）、表示指標が作成され、ＷＴＲＵ上に表示される（ステップ３１２）。
【００２５】
次いで図３ｂを参照すると、方法３２０は、機能強化をオフにすることによって開始する（ステップ３２２）。機能強化を無効にした状態での結果が測定され（ステップ３２４）、表示指標が作成されて、ＷＴＲＵ上に表示される（ステップ３２６）。次いで機能強化がオンにされ（ステップ３２８）、機能強化を有効にした状態での結果が測定され（ステップ３３０）、表示指標が作成されて、ＷＴＲＵ上に表示される（ステップ３３２）。
【００２６】
各システム強化は、各機能強化に対するユーザの好みによって、あるいは事前に設定されているオプションをユーザが選択することによって有効にすることができ、この場合、ＷＴＲＵは、それらの機能強化を選択的に有効にして、システム性能を最大にする。当業者なら理解できるように、システム強化を有効にするためのその他の多くの方法が可能である。実際のデバイスの展開においては、時としてＷＴＲＵは、機能強化技術を伴わない方がよりよく機能する可能性もある。これは、その機能強化に必要な条件が存在しない環境もありうるため、あるいはその改善技術が通信に弊害をもたらすためである。
【００２７】
条件が存在しないシナリオの一例は、Ｌａｙｅｒｅｄ  Ｓｐａｃｅに関連し、このシナリオでは、さらなる通信チャネルパスを提供するには、マルチパス伝搬が必要となる。見通し線上のみのリンクでは、当然マルチパスは存在しない。したがって、Ｌａｙｅｒｅｄ  Ｓｐａｃｅの技術をオンにしてチャネルをコード化およびデコードしても、データ転送速度は向上しない。むしろ、大幅な追加処理に伴ってバッテリの電力を消費するだけである。
【００２８】
機能強化を使用することが通信に弊害をもたらす状況の一例は、信号対ノイズ比の低いチャネルにあり、この状況では、誤り発生率によって、通信の実効データ転送速度が大幅に下がることがある。誤り訂正コーディングの機能強化を追加することによって、生データ転送速度は下がるが、実効データ転送速度は上がる。しかし信号対ノイズ比が高い場合、実効データ転送速度は、生データ転送速度と同じになるか、またはそれに非常に近くなる可能性がある。誤り訂正コーディングを追加すると、生データ転送速度は下がるが、実効データ転送速度は大幅には向上しない。この場合の正味の結果としては、実際には実効転送速度が下がる可能性がある。
【００２９】
図４ａは、利用できる視覚的表示の一例である。これらのバーは、デバイスによって受信される信号強度を示している。塗り潰されたバーは、機能強化技術を伴わない場合の信号強度を示している。白抜きのバーは、機能強化技術による追加の受信信号強度を示している。もちろん、（色付きのバーを使用する）図４ｂおよび（色の付いた縦向きのバーを使用する）図４ｃに示されている方法など、同様に機能強化を伴う場合と伴わない場合の信号強度を表示する別の方法が多く存在する。この情報をユーザに伝えるために使用される具体的な表示はさまざまなものとすることができるという点に留意されたい。たとえば、２つのグループのバーの間にコロンを置いたり、あるいは機能強化のバーにアンダーラインを引いたりすることができる。
【００３０】
図４ｄに示されているように、その他のアイコンを使用して、データ転送速度（たとえば１０１０）や誤り発生率（たとえば１？０？）を示すこともできる。図４ｄに示されている２進数は、任意のデータストリームを表している。図４ｅに示されているように、表示をダウンロードデータの転送速度に関連付けることもでき、図４ｅには、機能強化を有効にした状態でのダウンロード時間（図４ｅの「１０」は、有効にした状態でのダウンロード時間が１０秒であることを表す）と、機能強化を無効にした状態でのダウンロード時間（図４ｅの「［３０］」は、無効にした状態でのダウンロード時間が３０秒であることを表す）とが示されている。
【００３１】
（図４ｅに示されているように）機能強化を無効にした状態の値を角括弧で囲むことや、別々の色を使用して機能強化が有効か否かを示すことなどによって、さらなる視覚的な目印（cue）を使用することができる。端末に十分なサイズの表示領域がある場合は、たとえば「Ｏｆｆ  ７８ｋｂｓ：Ｏｎ  １４４ｋｂｓ」などの数値の方が有用かもしれない。数字を色分けすることや、機能強化部分にアンダーラインを引くことが、指標を区別する方法として考えられる。受信可能範囲を表すものとしては、一例として、２つの異なるサイズの円に囲まれたアンテナの絵が考えられる。外側の円は機能強化を伴い、内側の円は機能強化を伴わない。色やハッシュマークを使用して、違いを強調することができる。たとえばブライユすなわち点字の指標などの物理的な指標や、ボリュームおよび／または長さが変化する音など、その他の指標手段を使用することもできる。
【００３２】
本発明は、ＷＴＲＵだけでなく、全般的な無線通信システムのコンテキストにおいても実装できるという点に留意することが重要である。たとえば無線通信システム内のＷＴＲＵおよびその他のコンポーネントは、特定の機能強化技術の恩恵を享受しているかどうかをユーザに示すように構成することができる。このような無線通信システムは、任意のタイプの通信システムとすることができ、一実施形態では、たとえば無線ネットワークコントローラ、少なくとも１つのノードＢ、および少なくとも１つのＷＴＲＵを含むことができる。ノードＢは、基地局、サイトコントローラ、アクセスポイント、あるいは無線環境内のその他のインターフェーシングデバイスを含むが、これらには限定されないということに留意すべきである。
【００３３】
図５ａおよび５ｂは、本発明の実施形態を示す簡略化されたブロック図である。図５ａにおいて、ＷＴＲＵ５００は、そのトランシーバ５０４およびアンテナ／アンテナアレイ５０２を使用して、信号を送受信する。トランシーバ５０４は、ＷＴＲＵ処理回路５０６内の１つのコンポーネントである。機能強化制御デバイス５０８は、ＷＴＲＵ処理回路５０６を制御することによって、機能強化を選択的にオンにしたりオフにしたりすることができる。機能強化制御デバイス５０８はまた、性能指数測定デバイス５１０と通信していて、機能強化が作動している場合と機能強化が作動していない場合の測定値の取り込みを調整する。機能強化比較デバイス５１２は、機能強化を伴う状態と伴わない状態とでの性能指数を比較する。比較の結果は、ユーザディスプレイデバイス５１４上に表示される。
【００３４】
図５ｂにおいて、ＷＴＲＵ５００は、そのトランシーバ５０４およびアンテナ／アンテナアレイ５０２を使用して、信号を送受信する。機能強化制御デバイス５０８は、ＷＴＲＵ処理回路５０６を制御することによって、機能強化を選択的にオンにしたりオフにしたりする。無線ネットワーク５２６／基地局５２８では、トランシーバ５２０およびアンテナ／アンテナアレイ５１８を使用して、信号が送受信される。性能指数デバイス５２２は、機能強化が作動している間と機能強化が作動していない間の性能を測定する。機能強化比較デバイス５２４は、機能強化を伴う状態と伴わない状態での性能指数の測定値を比較する。比較の結果は、無線インターフェース５１６を介してＷＴＲＵ５００に送信される。ＷＴＲＵトランシーバ５０４は、表示用としてユーザディスプレイデバイス５１４に比較信号を提供する。
【００３５】
機能強化が無効にされている可能性もあり、測定を行わずに、機能強化がオンにされた場合に利得はどのようなものになるかという外挿をユーザに提供することができる。別の可能性として、その時点でユーザが有しているデバイスは、改善技術を使用することさえできない場合がある。しかし販売業務の一環としては、サービスまたはデバイスの提供業者は、その技術を使用できるデバイスをユーザが入手した場合に利得はどのようなものになるかをユーザに知ってもらいたい。たとえばユーザが、サービスの受信限界に近いエリアにいて、システムあるいはデバイスの提供業者に苦情を訴える場合がある。端末の提供業者は、ユーザに対して、外挿コードを自分のデバイスにダウンロードすれば、より新しい技術にアップグレードした場合にどの程度改善されるかを見ることができる旨を伝える。
【００３６】
本発明について、好ましい実施形態の観点から説明したが、その他の変形形態も本発明の範囲内である。
【図面の簡単な説明】
【００３７】
【図１】本発明による指標を計算して表示する方法を示すフローチャートである。
【図２】本発明による指標を計算して表示する別の方法を示すフローチャートである。
【図３ａ】本発明による指標を計算して表示するさらに別の方法を示すフローチャートである。
【図３ｂ】本発明による指標を計算して表示するさらに別の方法を示すフローチャートである。
【図４ａ】本発明による視覚的表示の例を示す図である。
【図４ｂ】本発明による視覚的表示の例を示す図である。
【図４ｃ】本発明による視覚的表示の例を示す図である。
【図４ｄ】本発明による視覚的表示の例を示す図である。
【図４ｅ】本発明による視覚的表示の例を示す図である。
【図５ａ】本発明の実施形態を示す簡略化されたブロック図である。
【図５ｂ】本発明の実施形態を示す簡略化されたブロック図である。
【図１】
2007507163.tif 000003
【図２】
2007507163.tif 000004
【図３ａ】
2007507163.tif 000005
【図３ｂ】
2007507163.tif 000006
【図４ａ】
2007507163.tif 000007
【図４ｂ】
2007507163.tif 000008
【図４ｃ】
2007507163.tif 000009
【図４ｄ】
2007507163.tif 000010
【図４ｅ】
2007507163.tif 000011
【図５ａ】
2007507163.tif 000012
【図５ｂ】
2007507163.tif 000013
【国際調査報告】
2007507163.tif 000014